Podtech/llm-jp-corpus-v4-ja_patent huggingface dataset:
(57)【要約】【課題】  本発明は、ポンプ容器などから、内容物を手や物品に噴出させるためのワンタッチ多面噴射装置を提供する。【解決手段】  容器本体（１）にポンプ部押し下げ部（２）を設け、ポンプ部押し下げ部（２）にノズルパイプ部（３）を設け、ノズルパイプ部（３）に先端噴口部（４）を設けたことを特徴とするワンタッチ多面噴射装置。【選択図】図１
2013230868.tif 000002
【特許請求の範囲】
【請求項１】
容器本体（１）にポンプ部押し下げ部（２）を設け、ポンプ部押し下げ部（２）にノズルパイプ部（３）を設け、ノズルパイプ部（３）に先端噴口部（４）を設けたことを特徴とするワンタッチ多面噴射装置。
【発明の詳細な説明】
【技術分野】
【０００１】  本発明は、ポンプ容器などから、内容物を手や物品に噴出させるためのワンタッチ多面噴射装置に関するものである。
【背景技術】
【０００２】  従来、容器内容物を手や物品などに噴射噴霧すると、片側のみに効果があった。
【先行技術文献】
【０００３】
【特許文献１】  特開２０１０−１５５６２３号公報
【発明の概要】
【発明が解決しようとする課題】
【０００４】  従来のポンプ容器などの内容物を取り出すには、片手でポンプを押し下げ、もう片方の手を噴口の下に差出し、手の平などに吐出、噴霧、噴射させるか、ポンプを押し下げた手の平に吐出していた。
ところが、ワンタッチで手その他の両面、多面に吐出、噴霧、噴射することは不可能だった。
【課題を解決するための手段】
【０００５】  容器本体（１）にポンプ部押し下げ部（２）を設け、ポンプ部押し下げ部（２）にノズルパイプ部（３）を設け、ノズルパイプ部（３）に先端噴口部（４）を設ける。
以上のように構成されたワンタッチ多面噴射装置である。
【発明の効果】
【０００６】  従来、不可能であったワンタッチで手や物品の両面に内容物を吐出、噴射、噴霧などを容易に可能とした。
【図面の簡単な説明】
【０００７】
【図１】  本発明の正面図である。
【図２】  本発明の使用状態を示した正面図である。
【発明を実施するための形態】
【０００８】  以下、本発明の実施の形態を説明する。
容器本体（１）にポンプ部押し下げ部（２）を設ける。
ポンプ部押し下げ部（２）にノズルパイプ部（３）を設ける。
ノズルパイプ部（３）に先端噴口部（４）を設ける。
以上のように構成されたワンタッチ多面噴射装置である。
本発明の使い方を説明する。
手刀でポンプを押し下げると、ノズル噴口を手などの両面に向け、設置したワンタッチ多面噴射、噴霧、吐出装置である。
他の実施例として、ノズルの噴射方向、噴射量は自由に変更が可能である。
ジャバラ式ノズルパイプ、また、部分ジャバラ式ノズルパイプにできる。
ジョイント部可動式ノズルパイプにできる。
用途別仕様の固定式、または、着脱式ノズルパイプにできる。
【符号の説明】
【０００９】１  容器本体
２  ポンプ部押し下げ部
３  ノズルパイプ部
４  ノズル先端噴口
【図１】
2013230868.tif 000003
【図２】
2013230868.tif 000004
(57)【要約】【課題】  海浜の釣り専用公園の手摺や、釣り船の縁に、釣り竿を固定するための釣り竿の保持具を提供する。【解決手段】  基軸の先端に前支軸を直立させ、前支軸の先端に半円形状の先端竿受部を設ける。基軸の後端に後支軸を直立させ、後支軸の先端に環状の後端竿受部を設ける。基軸の先端に前下軸を垂下させ、前下軸の下先端に挟み板を設ける。可動クランプ軸の下部に雌ネジ穴を儲け、雌ネジ穴にネジ軸を通し、ネジ軸の先端に可動板を設け、ネジ軸の後端にハンドルを設ける。  本発明を使用するときは、可動クランプ軸の可動板と前下軸の挟み板により、海浜公園の手摺や釣り船の船縁を挟み、本発明の保持具を固定する。その後、本保持具の先端竿受部と後端竿受部により釣竿を設置する。【選択図】図２
2013212100.tif 000002
【特許請求の範囲】
【請求項１】
長尺状の基軸の先端に前支軸を直立させ、前支軸の先端に半円状の先端竿受部を設け、基軸の後端に後支軸を直立させ、後支軸の先端に環状の後端竿受部を設け、基軸の先端に前下軸を垂下させ、前下軸の下先端に挟み板を設け、可動クランプ軸の下部に雌ネジ穴を設け、雌ネジ穴にネジ軸を通し、ネジ軸の先端に先端に可動板を設け、ネジ軸の後端にハンドルを設けたことを特徴とする釣竿の保持具。
【発明の詳細な説明】
【技術分野】
【０００１】  本発明は、釣竿を手持ちなどではなく、船や柵などに固定させる釣竿の保持具に関する物である。
【背景技術】
【０００２】  従来、竿を手に持ってるか、手摺などに竿を立てかけていた。
なお、保持具としては船専用のがあり、使用する者が各々工夫して手摺などに固定させていた。（特許文献１参照）
【先行技術文献】
【特許文献】
【０００３】
【特許文献１】  特開２００３−２０４７４８号公報
【特許文献２】  特開平９−７４９６７号公報
【発明の概要】
【発明が解決しようとする課題】
【０００４】  従来船以外で、サビキ釣りなどをする場合、手持ちで竿を持って長時間となると腕が疲れてしまう。又一人で竿を一本しか操作できなっかた。
本発明は、以上の問題点を解決するためになされたものである。
【課題を解決するための手段】
【０００５】  基軸の先端に前支軸を直立させ、前支軸の先端に半円形状の先端竿受部を設ける。基軸の後端に後支軸を直立させ、後支軸の先端に環状の後端竿受部を設ける。基軸の先端に前下軸を垂下させ、前下軸の下先端に挟み板を設ける。可動クランプ軸の下部に雌ネジ穴を設け、雌ネジ穴にネジ軸を通し、ネジ軸の先端に可動板を設け、ネジ軸の後端にハンドルを設ける。
本発明を使用するときは、可動クランプ軸の可動板と前下軸の挟み板により、海浜公園の手摺や釣り船の船縁を挟み、本発明の保持具を固定する。その後、本保持部の先端竿受部と後端竿受部により釣竿を設置する。
【発明の効果】
【０００６】  本発明により、船の縁や海釣りの手摺などに、簡単確実に保持することができる。
本発明は、船だけではなく、取り付けたい物体の丸型角型などの形状を問わず、取り付けることができる。
本発明は、釣竿を手持ちではなく、船の縁や手摺に預けて保持できるので、長時間の釣りにも腕が疲れない。
【図面の簡単な説明】
【０００７】
【図１】  本発明の斜視図
【図２】  本発明の使用状態を示す斜視図
【発明を実施するための形態】
【０００８】    以下、本発明の実施の形態を説明する。
イ、水平の長尺状の基軸（１）の先端に、前支軸（４）を上方へ直立させ、前支軸（４）の上先端に半円状の先端竿受部（２）を設ける。
ロ、基軸（１）の後端に、後支軸（５）を上方へ直立させ、後支軸（５）の上先端に円形で穴の開いた環状の後端竿受部（３）を設ける。
ハ、基軸（１）の先端に、前下軸（７）を下方へ垂下させ、前下軸（７）の下先端に四角状の挟み板（９）を設ける。
ニ、可動クランプ軸（８）の上部に穴（６）を設け、基軸（１）を貫通させて可動クランプ軸（８）の下部に雌ネジ穴（１２）を設け、雌ネジ穴（１２）にネジ軸（１１）を通し、ネジ軸（１１）の先端に可動板（１０）を設け、ネジ軸（１１）の後端にハンドル（１３）を設ける。
本発明は以上のような構造である。
本発明を使用する時は、海浜公園など魚釣り場や釣り船の取り付けをしようとする手摺（１７）などの寸法に、挟み板（９）と可動板（１０）の間隔を合わせる為に、基軸（１）を貫通させている可動クランプ軸（８）を移動させ手摺（１７）などの寸法幅に調整し、ハンドル（１３）を回すことにより、雌ネジ穴（１２）を介したネジ軸（１１）を押し出し、可動板（１０）と挟み板（９）によって手摺（１７）を、しっかり挟んで固定させる。
仕掛けをセットした釣竿（１４）の竿尻を後端竿受部（３）に通し、釣竿の先端側を先端竿受部（２）へ乗せる。
釣竿（１４）を保持具（１８）にセットした際に、海面または水面と釣竿（１４）の角度を変えたい時は、ハンドル（１３）を回し可動板（１０）を緩めて、希望の角度にしたのちハンドル（１３）を回し再度挟み板（９）と可動板（１０）で、手摺（１７）を挟んでしっかりと固定させる。
【符号の説明】
【０００９】    １基軸、２先端竿受部、３後端竿受部、４前支軸、５後支軸、６穴、７前下軸、８可動クランプ軸、９挟み板、１０可動板、１１ネジ軸、１２雌ネジ穴、１３ハンドル、１４釣竿、１５釣り糸、１６リール、１７手摺、１８保持具
【図１】
2013212100.tif 000003
【図２】
2013212100.tif 000004
(57)【要約】【課題】従来の発電は燃料が必要なもの、効率が悪いものがある。モーターが回転し危険である。また環境破壊を促す危険性や広範囲に危険をもたらす可能性があるものがある。【解決手段】発電所で当発電機構により発電を行う。この発電により環境破壊を防止し高出力の発電を行うことができるようになる。またモーターが回転せず安全である。この発電機構により発電所において費用削減、作業工数削減を行うことができる。小規模で費用の安い発電所を建設することができるようになる。【選択図】なし【特許請求の範囲】
【請求項１】
発電。
【発明の詳細な説明】
【技術分野】
【０００１】  本発明は発電するための機構に関する。
【背景技術】
【０００２】  なし
【先行技術文献】
【非特許文献】
【０００３】
【非特許文献１】原理からわかる  モーター技術入門（丸善出版）
【発明の概要】
【発明が解決しようとする課題】
【０００４】  従来の発電は燃料が必要なもの、効率が悪いものがある。また、モーターが回転し危険である。
【課題を解決するための手段】
【０００５】  当発電機構で発電を行う。
【発明の効果】
【０００６】  発電効率が高い。静的である。
【図面の簡単な説明】
【０００７】
【図１】微粒子照射器具からコイルと磁石に微粒子を照射し発電を行う。
【図２】微粒子照射器具。
【発明を実施するための形態】
【０００８】  発電所で実施する。
【符号の説明】
【０００９】微粒子照射器具  −  微粒子照射に使用。真鍮製。  フェライトバー  −  銅線を巻くことに使用。  銅線  −  通電に使用。  磁石Ｎ極  −  磁石Ｎ極を内側に使用。  磁石Ｓ極  −  磁石Ｓ極を内側に使用。  電球  −  発電の証明に使用。  ▲１▼  −  胴部。  ▲２▼  −  照射部。  ▲３▼  −  中心棒。  ▲４▼  −  照射先端部。
【図１】
2013212041.tif 000002
【図２】
2013212041.tif 000003
(57)【要約】【課題】    金属板を基材とし剛性を高め、折曲加工等ができる遮熱材を提供するものである。【解決手段】  金属板の片面又は両面にゴムや樹脂或いは樹脂繊維等のシートを取り付、その外側にアルミホイル等輻射熱に対して高反射率の素材を設けたものである。【選択図】図１
2013212676.tif 000002
【特許請求の範囲】
【請求項１】
金属板の片面或いは両面に、ゴムや樹脂或いは樹脂繊維等のシートを取り付、更にその外側にアルミホイル等輻射熱に対して高反射率の素材を設けたメタルベース遮熱材。
【発明の詳細な説明】
【技術分野】
【０００１】  本発明は、鉄やアルミニウム等金属を基材とし、自由に折曲加工等して使用できる遮熱材を提供するものである。
【背景技術】
【０００２】  金属板の表面に発砲ポリエチレンシート等を貼り合わせ、９０〜１８０度の角度まで曲げ加工のできる断熱金属板がある。
しかし、金属を基材とした遮熱材は今までに開発されていない。
【先行技術文献】
【特許文献】
【０００３】
【特許文献１】実用新案出願平５−２８６７１
【発明の概要】
【発明が解決しようとしている課題】
【０００４】  その為次のような問題があった。
金属は輻射熱に対する熱反射性能が低い事や熱伝導率が大きい為、熱を吸収したり伝達したりする量は大きいが、断熱性という面ではその性能は低い。そこで、金属に断熱材を取り付けて断熱性を高めたパネルが使用されている。
【０００５】  元々、断熱材は伝導熱を抑えるのが目的であり、厚みが厚くなれば成るほどその性能は向上する。しかし、折り曲げ加工等をして使用するには極力薄いほうがよく、断熱性能と加工度は相反するものがある。金属に断熱材を貼ったからと言って、薄くて断熱性能が高くしかも加工性が良いものを作る事は困難であると言う問題がある。
本発明は、これらの問題を解決する為になされたものである。
【課題を解決するための手段】
【０００６】  金属板の片面或いは両面に、ゴムや樹脂或いは樹脂繊維等のシートを取り付、更にその外側にアルミホイル等輻射熱に対して高反射率の素材を設けたメタルベース遮熱材である。
【図面の簡単な説明】
【０００７】
【図１】メタルベース遮熱材断面図
【発明を実施するための形態】
【０００８】  以下本発明を実施するための最良の形態について説明する。
アメリカの多くの機関の報告として、建物を通過する熱の７５％は輻射熱とされている。従って、この輻射熱を阻止することこそ大幅な省エネルギー効果を生み出すことが出来る。又、この輻射熱を阻止する方法として、アルミホイル等輻射熱に対して高反射率の素材１が有効である事が知られている。
【０００９】  輻射熱を効率的に反射するには、熱放射面とアルミホイル等輻射熱に対して高反射率の素材１との表面に均一な静止空気層、所謂反射スペースが必要である。しかし、一般のアルミホイル等輻射熱に対して高反射率の素材１は、柔軟性はあるものの剛性があまりない為、折板屋根等長尺且つ複雑な形状をしたものに平行にしかも均一な静止空気層の形成が非常に難しい。
【００１０】  本発明は、アルミニウムや鉄等の金属板３の片面或いは両面に、ゴムや樹脂或いは樹脂繊維等のシート２を取り付、更にその外側にアルミホイル等輻射熱に対して高反射率の素材１を設けたものである。
【００１１】  アルミニウムや鉄等の金属板３を基材にすることにより剛性が高められ、しかも長期間その形状を保持することができる。又、折り曲げ加工やプレス加工等が簡単に出来る様になり、長尺且つ複雑な形状の用途にも対応可能となる。
【００１２】  しかし、金属はそもそも輻射熱に対する反射率が低く、輻射熱を放射する熱源に面して使用すると多くの熱を吸収してしまい断熱効果は小さい。本発明は、アルミニウムや鉄等の金属板３をアルミホイル等輻射熱に対して高反射率の素材１で覆う事により熱伝達の阻止をしたものである。
【００１３】  ところが、異種金属とアルミホイル等輻射熱に対して高反射率の素材１を接触して長期間使用すると、アルミホイル等輻射熱に対して高反射率の素材１は電飾を起こし耐久性を大幅に損なうこととなる。これを防止する為、ゴムや樹脂或いは樹脂繊維等のシート２を、アルミニウムや鉄等の金属板３とアルミホイル等輻射熱に対して高反射率の素材１の間に取り付けてある。勿論、ゴムや樹脂或いは樹脂繊維等のシート２は熱伝導率も小さいため、遮熱材の熱還流抵抗を向上させる利点もある。
【００１４】  この様に、アルミニウムや鉄等の金属板３の両面にゴムや樹脂或いは樹脂繊維等のシート２を取り付、更にその外側にアルミホイル等輻射熱に対して高反射率の素材１を設けてもメタルベース遮熱材全体の厚みは１ミリにも満たない為、加工性が大幅に向上した。
【発明の効果】
【００１５】  折半屋根等では、屋根材を折り曲げる成型機をそのまま使用可能である為、屋根材と遮熱材が同形状となり、均一な静止空気層を形成することが簡単に出来る。しかも、高速で連続して加工できるので生産性が高く価格も安く製造することができる．
【符号の説明】
【００１６】    １  アルミホイル等輻射熱に対して高反射率の素材
２  ゴムや樹脂或いは樹脂繊維等シート
３  金属板
【図１】
2013212676.tif 000003
(57)【要約】【課題】胸腹部上の定点における呼吸運動の定量的な測定を、臨床現場で簡便に実施できる呼吸運動測定器を提供する。【解決手段】筒１内に固定したバネ２と筒に位置する棒３を接続部４で接続し、棒３の他端に接続された滑りにくい接触部５と棒３を介し移動する接続部４の移動距離や大きさを筒１の目盛８，１１から読み取ることができる。筒１にバネと棒の接続部の指標と連動し静止する指標９や角度計１０を設けることでより正確な呼吸運動の測定が可能である。【選択図】図１
2013212231.tif 000002
【特許請求の範囲】
【請求項１】
筒内にバネを固定し、棒を筒内に位置させ、そのバネと棒を接続部で連結し、その棒の他端には可動性のある接続部で連結した滑りにくい接触部を設け、筒を適切な角度で維持するための角度計を設け、バネと棒の接続部と連動する指標の移動距離を、筒に設けた目盛から又は胸腹部上の定点における呼吸運動の大きさを５段階で表す呼吸運動評価スケールに準じた目盛の段階として、直接又はバネと棒の接続部の指標と連動し静止する指標の位置から読み取ることの可能な構造を特徴とする呼吸運動測定器。
【発明の詳細な説明】
【技術分野】
【０００１】
本発明は、胸腹部上の定点における呼吸運動を定量的に測定することを可能とした呼吸運動測定器に関するものである。
【背景技術】
【０００２】
従来から、呼吸運動の定量的測定を可能とした光学的、電気的な精密機器が存在する。しかし、このような機器は高価で測定が煩雑であり、場所が限定されるなどの理由から病院などの臨床現場に設置されていることはほとんどない。
【０００３】
そのため、呼吸運動は観察を通した経験的判断から呼吸パターンの特徴を捉える程度に留まり、呼吸運動の大きさや変化の客観的な評価や情報共有ができていない。
【先行技術文献】
【非特許文献】
【０００４】
【非特許文献１】金子秀雄  「呼吸運動評価スケールの開発」  国際医療福祉大学学会誌  第１７巻（特別号）  ２０１１年  P２５
【発明の概要】
【発明が解決しようとする課題】
【０００５】
本発明は、胸腹部上の定点における呼吸運動の定量的な測定を、臨床現場で簡便に実施できる呼吸運動測定器を提供することである。
【課題を解決するための手段】
【０００６】
本発明の呼吸運動測定器は、筒内に固定したバネと棒を接続し、棒の他端に設けた接触面と棒を介し移動する接続部の移動距離又は大きさを目盛から読み取ることにより、呼吸運動を定量的に測定することを可能としたものである。
【発明の効果】
【０００７】
本発明により、胸腹部上の定点における呼吸運動を定量的に測定し、呼吸運動の大きさやパターンを数値化することで、呼吸状態のより的確な評価と情報共有が容易になる。
【図面の簡単な説明】
【０００８】
【図１】図１は呼吸運動測定器の斜視図である。
【発明を実施するための形態】
【０００９】
筒１内にバネ２を固定する。棒３を筒内に位置させ、バネ２と棒３を接続部４で連結する。棒３の他端には滑りにくい接触部５を設け、可動性のある接続部６で連結する。接続部４には指標７を設ける。筒１には指標７の移動距離を読み取るための目盛８又は胸腹部上定点における呼吸運動の大きさを５段階で表す呼吸運動評価スケールに準じた目盛１１を設ける。接続部４にある指標７の移動距離又は段階を確認するため、指標７に連動し静止する指標９を設ける。胸腹部上の定点において筒１を適切な角度で維持し測定するための角度計１０を設ける。以上のように構成された呼吸運動測定器。
【符号の説明】
【００１０】
１    筒
２    バネ
３    棒
４    棒とバネの接続部
５    滑りにくい接触部
６    接触部と棒の接続部
７    指標（棒とバネの接続部）
８    移動距離の目盛
９    指標（筒）
１０  角度計
１１  呼吸運動評価スケール（５段階）の目盛
【図１】
2013212231.tif 000003
(57)【要約】【課題】従来には存在せず、鮮度保持が優れ、化学薬品等を何ら用いずに鮮度保持ができ、しかも使用に便利な花生け用ナノバブル水入り花瓶を開発・提供することにある。【解決手段】花瓶（１）を設け、該花瓶にはナノバブル水（２）を充填しておき、該花瓶（１）には蓋栓（３）を設けたことを特徴とする花生け用ナノバブル水入り花瓶であり、花瓶（１）が、ガラス製、ステンレス製、プラスチック製から選ばれたものであり、さらに花瓶（１）が、底部に安定性を有する手段を設けている花生け用ナノバブル水入り花瓶である。【選択図】      図１
2013212281.tif 000002
【特許請求の範囲】
【請求項１】
花瓶（１）を設け、該花瓶にはナノバブル水（２）を充填しておき、該花瓶（１）には蓋栓（３）を設けたことを特徴とする花生け用ナノバブル水入り花瓶。
【請求項２】
花瓶（１）が、ガラス製、ステンレス製、プラスチック製から選ばれたものであることを特徴とする請求項１記載の花生け用ナノバブル水入り花瓶。
【請求項３】
花瓶（１）が、底部に安定性を有する手段（４）を設けていることを特徴とする請求項１または２記載の花生け用ナノバブル水入り花瓶。
【発明の詳細な説明】
【技術分野】
【０００１】
この発明は、花生け用ナノバブル水入り花瓶に関するものである。
【背景技術】
【０００２】
従来、切り花を購入する消費者の多くは、花の魅力について、心を癒す、季節感がある、華やぐ、そして心を豊かにする等の価値観を見出している。
【０００３】
このような価値観、あるいは欲求を満たすため、より身近で花を飾るためには、切り花を購入して家屋の各室内において生けるものである。
【０００４】
しかし、そのためには部屋に合った花瓶、あるいは購入した切り花に合った花瓶が必要となり、それに応じて当然、水も必要となってくる。
【０００５】
そして、切り花を長持ちさせるためには、花瓶の水も、毎日、取り替える必要があるが、多忙時には、水の取り替えを忘れてしまい、せっかくの花も枯れてしまっていることも多々あった。
【０００６】
さらに、安定の悪い花瓶は風等により倒れて、内部の水が外部にこぼれてしまい、せっかくの花も枯れてしまっていることもあった。
【０００７】
そのため、切り花用容器として、傾けても、或いは転がしても中の水が絶対にこぼれ出ない花用容器は存在する。例えば、特許文献１のように。
【先行技術文献】
【特許文献】
【０００８】
【特許文献１】特開平１０−２７８９６９号公報
【０００９】
しかし、この技術は、適宜な厚みを有する水の挿通支持体に花の茎を差し込み生けるものであゃ、多数の花や茎の柔らかい花には応用できないものであり、さらに、底部には吸湿性シート部材を敷設したりして、容器内部の構造が煩雑であり、決して望ましいものではなかった。
【発明の概要】
【発明が解決しようとする課題】
【００１０】
そこで、この発明の課題は、従来には存在せず、鮮度保持が優れ、化学薬品等を何ら用いずに鮮度保持ができ、しかも、使用に便利な花生け用ナノバブル水入り花瓶を開発・提供することにある。
【課題を解決するための手段】
【００１１】
上記の課題を解決するため、出願人が保有する微細気泡（ナノバブル）発生装置を用いて、水中に、空気、または酸素を溶かしたナノバブル水を用いた花瓶を使用することにより花の鮮度保持と、迅速に切り花を生ける便利さを解決するものである。
【発明の効果】
【００１２】
この発明によると、予め、ナノバブル水を充填しておいた容器兼用の花瓶を用意しておき、それに、花を生けることにより、その都度、花瓶と水を用意することなく、迅速に花を生けることができ、容器のデザインも種々用意することにより、切り花や、その花を飾る部屋に合わせて選択して購入することができる。
【００１３】
また、ナノバブル水は、腐ることなく、極めて長期に保存でき、また、災害時には、飲料水としても使用が可能である等極めて有益なる効果を奏する。
【図面の簡単な説明】
【００１４】
【図１】この発明の一実施例を示す一部欠截正面図である。
【図２】この発明の他の実施例を示す正面図である。
【図３】この発明のさらに他の実施例を示す一部欠截正面図である。
【発明を実施するための形態】
【００１５】
以下、本発明について詳細に説明する。なお、本発明においては、以下の記述に限定されるものではなく、本発明の要旨を逸脱しない範囲においては適宜変更可能である。
【実施例】
【００１６】
この発明の一実施例を図面に従って説明すると、花瓶（１）を設け、該花瓶にはナノバブル水（２）を充填しておき、該花瓶（１）には蓋栓（３）を設けたことを特徴とする花生け用ナノバブル水入り花瓶より構成される。
【００１７】
また、花瓶（１）の素材は、ガラス製、ステンレス製、プラスチック製から選ばれたものであり、その他、他の素材で構成されていてもよい。
【００１８】
さらに、花瓶（１）が、底部が安定性を有する手段を設けることにより、安定よく花を生けることができるよう配慮されている。例えば、花瓶（１）の底部を、上部に比べて面積を広く形成して倒れ難くし、安定した形状に形成したり、また、花瓶（１）の素材を上部に比べて底部を肉厚に形成し、錘としての機能を持たせるよう構成してもよい。
【００１９】
そして、花瓶本体（１）の形状としては、ビヤダル型、瓢箪型、三角錐、正三角錐等が考えられるが、円筒状、角筒状他の形状であってもよいものであり、オブジェとしても使用できるものである。
【００２０】
さらに、ナノバブル水（２）とは、本願出願人が所有する特許第４５６３４９６号発明（発明の名称：微細気泡発生器及び微細気泡発生装置）〕により調整された溶液のことであり、更に、詳細に説明すると、微細な気泡を含んだ水であり、一般的には、ナノバブルは、１μｍ以下のナノメートル単位のものをいい、粒径が１０ｎｍ以上３００ｎｍ以下の範囲において発生し、個数は、１ミリリットル内に１億個以上発生するものである。
【００２１】
また、蓋（３）は、紙栓や紙製、プラスチック製、ゴム製のキャップで閉塞されているものであり、使用時、即ち，花を生ける際に取り外して使用するものである。
また、蓋（３）は、花瓶（１）の口縁部にネジ溝や段部を設けて閉塞するものではなく、花瓶の口として体裁が悪くないような構造とし、例えば、プラスチック製にしても、ゴム製のキャップにしても、花瓶の口縁部に差し込み、押圧して閉塞するよう構成することが望ましい。
【産業上の利用可能性】
【００２２】
この発明によると、花生け用ナノバブル水入り花瓶の技術を確立し、その確立された技術に基づいて製造・販売することにより、産業上の利用可能性があるものである。
【符号の説明】
【００２３】
１  花瓶
２  ナノバブル水
３  蓋栓
４  底部に安定性を有する手段
【図１】
2013212281.tif 000003
【図２】
2013212281.tif 000004
【図３】
2013212281.tif 000005
(57)【要約】【課題】従来の容器は粘性物を押し出すために、容器本体を手で加圧する。しかし容器内の残量が少なくなってきた場合、容器本体の相対する周壁部が密着するまで加圧しても底部近辺では密着しきれずに、周壁部と底部との間に空間ができる。流動性の悪い粘性のため、容器本体の周壁部を加圧しても底部との空間の中で粘性物が分散するだけで、どうしても残ってしまい、底部から粘性物を出しきることは困難である。本発明は、容器の底部に粘性物が残らなくして、なおかつ容器本体を粘性物が収容された状態で起立可能な状態を維持させることができる粘性物用容器を提供する。【解決手段】可とう性を有する合成樹脂でなる容器本体はチューブ状のもので、上部に吐出部を備える。底部は容器本体の下の部分が、容器本体の幅に対して二股に分岐された二肢を有することを特徴とする粘性物用容器。【選択図】図６
2013212877.tif 000002
【特許請求の範囲】
【請求項１】
可とう性を有する合成樹脂でなる容器本体の底部は、容器本体の下の部分が、容器本体の幅に対して二股に分岐された二肢を有することを特徴とする粘性物用容器。
【発明の詳細な説明】
【技術分野】
【０００１】本発明はマヨネーズ、ケチャップ、ソースなどの粘性物を入れる容器に関するものである。
【背景技術】
【０００２】従来の容器は可とう性を有する合成樹脂の容器本体と、この容器本体の上部に吐出部が設けられたチューブ状の粘性物用容器が提供されている。
この容器本体は粘性物を収容した状態で起立可能な状態を維持するため、底部は平らになっている。
この容器に収容された粘性物は容器本体の周壁部を手で加圧することによって吐出部から押し出すことができる。
なお他にも、容器本体は対向する周壁部どうしが、互いに離反可能に密着または近接しているとともに収容した粘性物の吐出に伴って、各周壁部どうしを互いに離反した状態から前記密着または近接した状態に復元させる弾性復元力を一方の周壁部に付与されていることを特徴とする粘性物用容器が提案されている。（特許文献１参照）
上記の粘性物用容器から粘性物を押し出す際に、まず容器本体の周壁部を加圧すると同時に一方の周壁部の弾性復元力によって、対向する周壁部に密着させることで押し出すことができる。
【先行技術文献】
【特許文献】
【０００３】
【特許文献１】特開２００９−０９１０００号公報
【発明の概要】
【発明が解決しようとする課題】
【０００４】従来の容器は粘性物を押し出すために、容器本体を手で加圧する。しかし容器内の残量が少なくなってきた場合、容器本体の相対する周壁部が密着するまで加圧しても底部近辺では密着しきれずに、周壁部と底部との間に空間ができる。
流動性の悪い粘性のため、容器本体の周壁部を加圧しても底部との空間の中で粘性物が分散するだけで、どうしても残ってしまい、底部から粘性物を出しきることは困難である。【０００５】また、特許文献１に記載の粘性物用容器は底部と周壁部の明確な境界がなく、周壁部の下部をゆるやかに折り曲げて底部としているため、底部は平らではなく丸みをおびている、したがって、容器本体を粘性物が収容された状態で起立可能な状態に維持することは困難である。
本発明は、以上の問題点を解決するためになされたものである。
【課題を解決するための手段】
【０００６】可とう性を有する合成樹脂でなる容器本体はチューブ状のもので、上部に吐出部を備える。底部は容器本体の下の部分が、容器本体の幅に対して二股に分岐された二肢を有する。
以上の構成よりなる粘性物用容器。
【発明の効果】
【０００７】粘性物用容器より粘性物を押し出す時、容器本体の周壁部と底部が密着されてスムーズに押し出され、底部に粘性物が残らなくなるので、粘性物の無駄をなくすることができる。
また、容器本体から二股に分岐された二肢のそれぞれの末端が接地部となって、容器を下からささえるので、容器本体を粘性物が収容された状態で起立可能な状態に維持できる。
【図面の簡単な説明】
【０００８】
【図１】従来の容器本体での粘性物が吐出前の正面図
【図２】従来の容器本体での粘性物が吐出前の一部切り欠き側面図
【図３】従来の容器本体での粘性物が吐出後の一部切り欠き側面図
【図４】本発明の容器本体での粘性物が吐出前の正面図
【図５】本発明の容器本体での粘性物が吐出前の底面図
【図６】本発明の容器本体での粘性物が吐出前の一部切り欠き側面図
【図７】本発明の容器本体での粘性物が吐出後の一部切り欠き側面図
【発明を実施するための形態】
【０００９】容器本体（５）から粘性物（４）を押し出すために、容器本体（５）の素材は可とう性を有する合成樹脂であることが求められる。
この容器本体（５）の上部に吐出部（２）が設けられている。
【００１０】また容器本体（５）の下の部分が図５のように楕円形の底部（６）の短径側の幅を二等分する形で、容器本体（５）が二股に分岐された二肢を有するものが、本発明の容器本体（５）の底部（６）の形状である。（図６参照）
この二肢の分岐点からそれぞれの末端までの間を底部（６）とする。
前記、二肢の底部（６）が相対する周壁部（７）に接近しつつ末端で、それぞれの周壁部（７）と接続されたところを接地部（８）とする。
この相対する接地部（８）は容器本体（５）に粘性物（４）を収容した状態で容器本体（５）を起立可能な状態に維持することができる。
以上の構成からなる容器本体（５）は図６のように粘性物（４）で満たされている。
【００１１】この粘性物（４）を容器本体（５）から吐出するためには、まず容器本体（５）の周壁部（７）を底部（６）から吐出部（２）に向かって加圧をする。順次加圧部位をずらしていけば周壁部（７）の内面と内面が順次密着して、吐出部に近い所から吐出される。
なお容器本体（５）の底部（６）近辺の粘性物（４）は図７のように相対する周壁部（７）と底部（６）がそれぞれの接地部（８）から吐出部（２）に向かって順次加圧することで周壁部（７）の内面と底部（６）の内面が順次密着されて、吐出部（２）に向かって移動し、底部（６）近辺で分散したり、残留することなく吐出される。
したがって粘性物の無駄をなくすることができる。
【符号の説明】
【００１２】１従来の容器本体、２吐出部、３従来の容器の底部、４粘性物、５本発明の容器本体
６本発明の容器の底部、７本発明の容器の周壁部、８本発明の容器の接地部
【図１】
2013212877.tif 000003
【図２】
2013212877.tif 000004
【図３】
2013212877.tif 000005
【図４】
2013212877.tif 000006
【図５】
2013212877.tif 000007
【図６】
2013212877.tif 000008
【図７】
2013212877.tif 000009
(57)【要約】【課題】サクランボの種を取るのに手指が汚れる、幼い子供さん、高齢の方、障害のある方は、口の中で種を上手く出せない、種を飲み込んでしまう事と箸やフオークで種を取ってあげる時、時間がかかる、落とす、果樹洩れ、形くずれ等のない衛生的で安全、便利なサクランボの種取り用トングを提供する。【解決手段】トングの先端部をトングが果肉に出し入れがしやすい様に厚さを薄く、幅を細くして、種をしつかり掴める様に縦溝、内側の横Ｒ、縦Ｒ、外側の横Ｒ、縦Ｒ，角部Ｒ、後部にバネ部を設けて、トング先端部をサクランボ上部の果肉に入れて掴み、捻つて種と小枝の根を離して確実に早く種を取り出す事のできる事と材質は、ステンレス系と樹脂製を特徴とするサクランボの種取り用トング。【選択図】図７
2013212340.tif 000002
【特許請求の範囲】
【請求項１】
トングの先端部をサクランボの上部の果肉に出し入れが容易で安全に種をしつかり掴んで早く取り出すためにトング先端部に２本の溝、８ケ所の角部にＲ、内側の縦横にＲが４ケ所、外側の縦横にＲが４ケ所、後部にトングを開閉するバネ部を設けて、使う時は、トング先端部を閉じてサクランボ上部より入れて種に当たったら、バネの力で開いて、更に種の下まで入れて閉じ、種をしつかり掴んで右か左に捻り、小枝の根と種を離して取り出す事が出来る事と材質は、ステンレス系と樹脂系製のサクランボの種取り用トングである。
【発明の詳細な説明】
【技術分野】
【０００１】  本発明は本体の先端部に縦溝、内側横Ｒ、内側縦Ｒ、外側横Ｒ、外側縦Ｒ、角部Ｒ、後部にバネ部を設けて、サクランボの種を取る、サクランボの種取り用トングに関するものである
【背景技術】
【０００２】  従来、サクランボを食べるとき、種を取るトング類はなく、箸や小型フオーク等で種を取るか、サクランボを口の中に入れて歯、舌で果肉と種を分けて吐き出して手の平や小皿に入れていた。
【発明の開示】
【発明が解決しようとしている課題】
【０００３】  そのために次の様な問題があつた。
（イ）サクランボの果肉を食べた後、種を口から出して手の平で受けるので汚れる。
（ロ）子供さん、高齢の方、障害のある方は果肉を食べた後、口から種を出しにくい事で      種を飲み込んでしまう事が多くあつた。
（ハ）子供さん、高齢の方、障害のある方に種を取ってあげる時、箸や小型フオークで種      を取るが、種は小さくて滑りやすいので、落としたり、時間がかかる、果汁の洩れ      で手指の汚れ、果肉の形くずれがあつた。
本発明はこれらの問題点を解決するためになされたものである。
【課題を解決するための手段】
【０００４】  直径１８ミリから２５ミリのサクランボの直径７ミリから１０ミリの種を取るとき先端部の幅８ミリで細く、長さ１２センチで軽いトングをサクランボの上部の果肉の出し入れを容易にして種を取り易くするために、トングの先が閉じた時の厚さは２ミリ、中心部に幅１ミリ、長さ１４ミリの溝２ケ所、８ケ所の角部に１Ｒ、外側横に長さ８ミリで１５Ｒ４ケ所、外側縦長さ２センチで６０Ｒ４ケ所、内側横長さ８ミリで１５Ｒ４ケ所、内側縦長さ２センチで６０Ｒ４ケ所、トングを開閉するバネ部を設けて、使う時は、片方の手指でサクランボの小枝のついた下部を３本か４本の手指で掴み、もう片方の手指でトングの先をサクランボの上部の果肉に入れて種に当たったら、トングのバネの力で外側に種の直径より広い幅に開き、更に種の下まで入れて後、トングを閉じて種を先端部でしつかり掴んで種と小枝の根がひつっいているのをトングで右か左に捻って分離してからサクランボの種を取り出す事と材質は弾力性があり、錆びないステンレス系と樹脂系製。
以上の事を特徴とするサクランボの種取り用トングである。
【発明の効果】
【０００５】  サクランボを食べるとき、種を取りにくい、落とす、手指の汚れ等がなくなる衛生面と種を飲み込む等の安全面も向上する事と使い方は簡単なので種も取る時間も１個３秒で取れるので、特に子供さん、高齢の方、障害のある方に種を取つてあげる時も便利な事とサクランボの果汁洩れ、形くずれも少ないので美味しく食べる事ができる。
【発明を実施するための最良の形態】
【０００６】  以下、本発明の実施の形態を説明する
トング（１）の先端部に溝（３）２本、内側横Ｒ（４）４ケ所、外側横Ｒ（５）４ケ所、内側縦Ｒ（６）４ケ所、外側縦Ｒ（７）４ケ所、角部Ｒ（８）８ケ所、後部にバネ部（２）を設ける。
本発明は以上の構成になつている。
これを使用するときは、片方の手指３本か４本でサクランボ上部（１１）を上に掴み、もう片方の手指でトング（１）先端部を閉じてサクランボ上部（１１）の中心部に合わせて下の果肉に入れて種に当たったらトング（１）のバネ部（２）の力で種（９）の下まで入れてからトング（１）を内側に閉めて、種を掴み右か左に捻り種（９）と小枝（１０）の根と分離したあと種（９）を取り出します。
【図面の簡単な説明】
【０００７】
【図１】本発明の斜視図
【図２】本発明の先端部正面部断面図
【図３】本発明の先端部側面部断面図
【図４】本発明のサクランボを取る分解図１
【図５】本発明のサクランボを取る分解図２
【図６】本発明のサクランボを取る分解図３
【図７】本発明のサクランボの種取りの斜視図
【符号の説明】
【０００８】  １  トング
２  バネ部
３  溝
４  内側横Ｒ
５  外側横Ｒ
６  内側縦Ｒ
７  外側縦Ｒ
８  角部Ｒ
９  種
１０  小枝
１１  サクランボ上部
１２  サクランボ下部
【図１】
2013212340.tif 000003
【図２】
2013212340.tif 000004
【図３】
2013212340.tif 000005
【図４】
2013212340.tif 000006
【図５】
2013212340.tif 000007
【図６】
2013212340.tif 000008
【図７】
2013212340.tif 000009
(57)【要約】【課題】食器洗いの際、右手に持っているスポンジにポンプ式容器で泡状または液状の洗剤を塗布するには左手に食器を持ったままではポンプを押せないため、その都度食器を一度手から離して行う必要がある、すなわち両手が必要で、煩わしくまた効率が悪かった。本発明は以上の問題点を解決するための食器洗い用スポンジを提供する。【解決手段】スポンジの端部にポンプ式容器のノズルの先端を挿し込めるスリットまたは穴を設け、右手で持ったスポンジにノズルの先端を挿し込んで、そのまま右手でポンプを押し、スポンジの内部に泡状または液状の洗剤を注入する。以上の構造の食器洗い用スポンジ。【選択図】図３
2013212336.tif 000002
【特許請求の範囲】
【請求項１】
端部よりポンプ式容器のノズルの先端を挿し込み、泡状または液状の洗剤を内部に注入することができるようスポンジ本体の途中までまたは貫通したスリットや穴を設けた食器洗い用スポンジ。
【請求項２】
２種類以上のスポンジまたは不織布などの部材を接合して一体化した構造のスポンジ本体の場合、その一部を未接合のままにし、スリットの役割をさせる構造の請求項１の食器洗い用スポンジ。
【発明の詳細な説明】
【技術分野】
【０００１】  本発明は食器洗い用に使用するスポンジに関するものである。
【背景技術】
【０００２】  従来、食器洗いなどの際（右利きの人の場合）、右手にスポンジを持ち、左手でポンプ式容器のポンプを押して泡状または液状の洗剤をノズル先端より吐出させ、スポンジの表面に供給していた。
【先行技術文献】
【特許文献】
【０００３】
【特許文献１】
【非特許文献１】
【発明の概要】
【発明が解決しようとする課題】
【０００４】  食器洗いの途中で右手に持っているスポンジに洗剤を追加供給する際、左手に食器を持ったままではポンプを押せないためその都度食器を一度手から離してポンプを押す必要がある、すなわち両手が必要になるため、煩わしく、また効率が悪かった。
本発明は以上の問題点を解決するためのものである。
【課題を解決するための手段】
【０００５】  スポンジの端部にポンプ式容器のノズルの先端を挿し込めるスリットまたは穴を設け、右手で持ったスポンジにノズルの先端を挿し込んで、そのまま右手でポンプを押してスポンジの内部に洗剤を注入する。
以上の構造の食器洗い用スポンジ。
【発明の効果】
【０００６】  食器洗いなどの途中でスポンジにポンプ式容器を使って泡状または液状の洗剤を追加供給する際、片手での供給が可能になり、煩わしさが減り、作業の効率化が図れる。
【図面の簡単な説明】
【０００７】
【図１】本発明の斜視図
【図２】本発明の斜視図
【図３】本発明の使用形態を示す図
【発明を実施するための形態】
【０００８】  以下、本発明の実施の形態を説明する。
スポンジ本体（１）の端部（２）にスリット（３）または穴（４）を設ける。
本発明を使用する場合、右手でスポンジ本体（１）を握り洗剤容器（５）の吐出ノズル（７）をスポンジ端部のスリット（３）または穴（４）の中に挿し込みそのまま右手でポンプ頭部（６）を押し、泡状または液状の洗剤をスポンジ本体（１）の中に注入する。
【符号の説明】
【０００９】  １スポンジ本体、２スポンジ端部、３スリット、４穴
５ポンプ式容器、６ポンプ頭部、７吐出ノズル
【図１】
2013212336.tif 000003
【図２】
2013212336.tif 000004
【図３】
2013212336.tif 000005
(57)【要約】【課題】スーパーなどで商品を入れるためにもらうビニール袋は石油製品であると言う事から環境破壊を早める、最近はマイエコバッグを持つ人も増えてきているが、エコバッグを物入れとして以外の用途は無かった。【解決手段】本来エコバッグは、自分用の買い物かごであって商品や小物を運ぶ入れ物として使われていたが、本発明は、エコバッグに補強を加えるとともにショックを吸収するウレタンホームなどを使うことで、防災頭巾としても使用できるようにした。【選択図】図１
2013212338.tif 000002
【特許請求の範囲】
【請求項１】
通常時はエコバッグとして使用できるが、通勤、通学時にはカバンやランドセルに収納できるように、コンパクトに折りたたむことが出来、、災害時には防災頭巾に変更することが出来る機能を付加した事を特徴とする、バッグである。
【発明の詳細な説明】
【技術分野】
【０００１】この発明は、災害時に飛散するガラスや落下物から、頭部を守るための機能を有し常時携帯出来るようにするための、エコバッグに関する。
【背景技術】
【０００２】従来の通勤、通学に用いられるカバンやランドセルには防災頭巾を収納するスペースがない為、小さくたためてしかも落下物から頭部を保護できるだけの、強度も必要になる。
【発明の概要】
【発明が解決しようとする課題】
【０００３】しかしながら、従来のエコバッグでは小さくたたむことが出来ても、頭部を衝撃かから守るだけの強度のあるものは無かった、したがって防災頭巾としての機能は無かった。【０００４】そこで、この発明は、常にカバンやランドセルに収納でき、しかも落下物や飛散するガラス片から頭部を守るだけの強度を有する、防災頭巾兼用エコバッグの機能を提供する。
【課題を解決するための手段】
【０００５】以上の課題を解決するために、本発明は、通勤、通学のカバンやランドセルに収納でき、しかも生地は不燃素材を用いバッグの底部分にはアルミ板もしくは、軽量なポリカーボネートなどを貼り付け尚、衝撃を吸収するポリウレタンなどをを配し、防災頭巾としての機能を持つことを特徴とするエコバッグである。
【発明の効果】
【０００６】この発明によって、常に防災頭巾を携帯して、突然の地震や災害時に素早くカバンやランドセルから取り出し、落下物、飛散物等による衝撃から守る防災頭巾として使用することが可能となる。
【図面の簡単な説明】
【０００７】
【図１】本発明の透視図である。
【図２】本発明の断面図である。
【発明を実施するための形態】
【０００８】以下、本発明の形態を図１、図２、図３に基づいて説明する。
【０００９】図１は、エコバッグを広げ頭からかぶっている様子を表した透視図である。
【００１０】図２は、エコバッグを折りたたむ様子を表した透視図である。
【００１１】図３は、エコバッグの断面図である。
【実施例】
【００１２】カバンやランドセルに折りたたんで収納されている、エコバッグを広げて頭からかぶり災害時に落下物、飛散するガラス片などから頭部を守り、普段は買い物の時などに、エコバッグとして利用できる。
【符号の説明】
【００１３】１  防炎加工された布
２  アルミ板かポリカーボネート
３  透明ポリカーボネート
４  衝撃吸収用ポリウレタン
【図１】
2013212338.tif 000003
【図２】
2013212338.tif 000004
(57)【要約】【課題】  従来かかとを上下させる事だけでは足の指関節、足首の関節、及びひざ関節の屈曲運動は出来るが、それらの運動と同時に、足裏のツボ踏みと、ふくらはぎのマッサージは出来なかった、本発明は上記の運動を同時に行える折畳み式足用運動器具を提供する。【解決手段】足置きベース台各所の前方に足指ずれ防止枠とゴムバンドを設け、中央部にいぼ状の突起を設け、後方にＬ形溝を起点とし折畳が可能な加圧バネを有するスライド式アームを設ける。その頭部にはロールを持つロール取付台を設ける。【選択図】図１
2013212346.tif 000002
【特許請求の範囲】
【請求項１】
足置きベース台各部の前方に、足指ずれ防止枠と足締めバンドを設ける。中央部にいぼ状の突起を設け、後方にＬ形溝をあけたアーム取付金具を設ける。それにケース付アームを取付け、下アームは鋼板バネにて上アームと連結する。上アーム頭部に取付台押し上げゴムバネとロールを取り付けたロール取付台を設けた折畳み式足用健康器具。
【発明の詳細な説明】
【技術の分野】
【０００１】本発明は、限定された狭い場所でも足の血行促進を促す事が可能な折畳み式足用健康器具である。
【背景技術】
【０００２】従来は他人にマッサージしてもらったり、散歩やスポーツセンターで多種類の機器を利用することが多い。
ふくらはぎ等を空気圧でマッサージする部分的治療する器具があると聞いている。
（特許文献Ｉ参照）
【特許文献１】特許出願２００１−１６８８４６
【特許文献２】特許出願２０１０−６４５９３
【発明の開示】
【発明を解決しようとする課題】
【０００３】かかとを上下させる事で足指の関節、足首の関節、及びひざの関節の屈曲運動は出来るが、同時に足裏のツボ踏みと、ふくらはぎのマッサージは出来なかった。
本発明は以上の問題点を解決するためになされたものである。
【課題を解決するための手段】
【０００４】足置きベース台各部の前方に足ずれ防止枠と足締めバンドを設ける。中央部にいぼ状の突起を設け、後方にＬ形溝をあけたアーム取付金具を設ける。それにケース付アームを取付け、下アームは鋼板バネにて上アームと連結する。上アーム頭部に取付台押し上げゴムバネとロールを取り付けたロール取付台を設ける。
以上の構成よりなる折畳み式足用健康器具。
【発明の効果】
【０００５】かかとを上下させるだけでは、足指、足首、ひざの各関節の屈曲運動のみか出来なかったが、本発明により足裏のツボ踏みと、ふくらはぎのマッサージを同時に行うことが出来るようになった。
それにより身体を大きく動かせない、航空機内や列車内の様に狭い所でも、下半身の血行増進運動を充分可能にし、エコノミークラス症候群等を解決できるものである。
【発明を実施するための最良の形態】
【０００６】以下、本発明の実施の形態を説明する。
（Ａ部）
足指部を少し高くした足置きベース台（１７）の前方に、足指ずれ防止枠（２０）を設けて、その外側面に片方にマジックテープ凸（１８）を、反対側面にマジックテープ凹（２２）を先端に有するゴムバンド（２１）を設ける。
中央部に山形に配列されたマグネット等のいぼ状突起（１６）を設ける。
後部にアームケースストッパー（２７）付ケース取付け金具（１３）を設けて、その左右側面にケース取付けピン（１４）用のＬ形溝（１２）を設ける。裏面に前部スリップ止め（１９）と後部スリップ止め（１５）を設ける。
（Ｂ部）
アームケース取付け金具（１３）に取付けピン（１４）を固定したアームケース（１１）を設ける。それにはアーム固定ピン（１０）とピン用スプリング（２３）を備える。
アームケース（１１）の内部へ挿入する下アーム（８）を設け、その側面には高さ調整用のアーム固定ピン穴（９）をあけてあり、鋼板バネ（２６）にて上アーム（２５）と結合する。上アーム（２５）に取付台押し上げゴムバネ（７）とロール取付台ストッパー（４）を設け、頭部にロール取付台連結ピン（５）でロール取付台（２）を連結する。
（Ｃ部）
数本のスポンジ付ロール（１）を並べたロール取付台（２）を設ける。下部にはゴムバネ取付板（３）を設け、上アーム（２５）前面に取付台押し上げゴムバネ（７）を結合する。各スポンジ付ロール（１）は貫通穴を有する円筒形でロール軸心ピン（６）を中心に回転する。
本発明は以上の様な構造である。
本発明を使用するときは、
［図３］のように、収納時に折り畳んでいた本器具の、ゴムバンド（２１）の先端に付いているマジックテープ凹（２２）を、収納用マジックテープ凸部から外す。ロール取付台（２）を上に持ち上げるとアームケース（１１）が取付ピン（１４）を起点として立ち上がる、そのままＬ形溝（１２）の最下点まで移動させるとアームケース（１１）がケース取付金具（１３）に当たり静止す。アームケースストッパー（２７）で後方へは倒れない。
［図４］のように、足を足置きベース台（１７）にのせ、ゴムバンド（２１）を締め付け、マジックテープ凸部（１８）に止付ける。後はアーム固定ピン（１０）を操作してロール取付台（２）をふくらはぎの最適な位置に合わせる。
かかとの上下運動により、指先が支点になるので、ふくらはぎが前後に位置ずれをおこしても、２種類のバネにより補正され適度な加圧マッサージが得られる。
器具の位置を前後に変える事により、ふくらはぎにかかる圧力を変化させる事が出来る。
【図面の簡単な説明】
【０００７】
【図１】本発明の斜視図
【図２】本発明のＹ部  詳細断面図  （前面よりの視野）
【図３】本発明の収納時  側面図
【図４】本発明の使用時  側面図
【符号の説明】
【０００８】１    スポンヂ付ロール
２    ロール取付台
３    ゴムバネ取付板
４    ロール取付台ストッパー
５    ロール取付台連結ピン
６    ロール軸心ピン
７    ロール取付台押し上げゴムバネ
８    下アーム
９    アーム固定ピン穴
１０  アーム固定ピン
１１  アームケース
１２  Ｌ形溝
１３  ケース取付金具
１４  ケース取付ピン
１５  後部スリップ止め
１６  いぼ状突起
１７  足置きベース台
１８  マジックテープ凸部
１９  前部スリップ止め
２０  足指ずれ防止枠
２１  ゴムバンド（足指固定用兼折畳み収納用）
２２  マジックテープ凹部
２３  ピン用スプリング
２４  収納用マジックテープ凸部
２５  上アーム
２６  鋼板バネ
２７  アームケースストッパー
Ａ部  足置きベース台部
Ｂ部  アーム機能部
Ｃ部  ロール機能部
Ｙ部  アームケース部
【図１】
2013212346.tif 000003
【図２】
2013212346.tif 000004
【図３】
2013212346.tif 000005
【図４】
2013212346.tif 000006